(57)【要約】【課題】フレキシブルなサンスクリーンの長手方向縁部を対応する長手方向ガイドから移動させるときに生じる、再び長手方向ガイド内へと長手方向縁部を移動させることが困難な作業となるという問題を解決すること。【解決手段】対向長手方向縁部と対向横方向縁部とを有するフレキシブルなサンスクリーンと、サンスクリーンの長手方向縁部の対応するものを収容しかつガイドする二つの長手方向ガイドと、その横方向縁部の第１のものにおいてサンスクリーンを巻取りかつ巻き出すための回動可能な巻取りシャフトと、横方向縁部の第２のものに接続された操作ビームとを備えるサンシェードアセンブリに関する。横方向縁部の第２のものに隣接するサンスクリーンの長手方向縁部のそれぞれが、第２の横方向縁部に対する固定位置を有しかつ対応長手方向ガイドの対応するものの中に延在する位置決め部材の周囲で内側に向かって折り曲げられたウィングを備えている。【選択図】図２
2010036898.tif 000002
【特許請求の範囲】
【請求項１】
サンシェードアセンブリであって、
対向長手方向縁部と対向横方向縁部とを有するフレキシブルなサンスクリーンと、
前記サンスクリーンの前記対向長手方向縁部の対応するものをその中に収容しかつガイドするための二つの対向長手方向ガイドと、
前記サンスクリーンを、その横方向縁部の第１のものにおいて巻取りかつ巻き出すために構成された回動可能な巻取りシャフトと、
前記サンスクリーンの前記横方向縁部の第２のものに接続された操作ビームと、
前記操作ビームとともに動作可能な二つの位置決め部材であって、各位置決め部材が、前記対向長手方向ガイドの対応するものの中に延在し、かつ前記横方向縁部の第２のものに隣接する前記サンスクリーンの前記対向長手方向縁部のそれぞれが、位置決め部材の周囲で内側に向かって折り曲げられたウィングを備えるようになっている位置決め部材と、
を具備してなることを特徴とするサンシェードアセンブリ。
【請求項２】
前記長手方向ガイドは、それぞれ、一方が他方の上に位置させられた二つのガイドチャネルを具備してなり、かつ各位置決め部材は、前記二つのガイドチャネルの第１のものの中に延在しており、前記操作ビームは、二つのガイドチャネルの対応する第２のものの中にそれぞれが延在する対向側方端部を具備してなることを特徴とする請求項１に記載のサンシェードアセンブリ。
【請求項３】
各位置決め部材が、前記二つのガイドチャネルの下側のものの中に延在しており、前記操作ビームの側方端部のそれぞれが、前記二つのガイドチャネルの対応する上側のものの中に延在していることを特徴とする請求項２に記載のサンシェードアセンブリ。
【請求項４】
前記位置決め部材は、前記対応するガイドの中に突出する唇状部を具備してなり、かつ前記サンスクリーンの前記長手方向縁部の前記対応するウィングが、前記唇状部の周囲で折り曲げられていることを特徴とする請求項１に記載のサンシェードアセンブリ。
【請求項５】
前記位置決め部材は、取り外し可能な様式で、前記操作ビームに接続されていることを特徴とする請求項１に記載のサンシェードアセンブリ。
【請求項６】
前記操作ビームとともに、前記位置決め部材は、スナップ式連結部材を形成していることを特徴とする請求項５に記載のサンシェードアセンブリ。
【請求項７】
前記位置決め部材は、単一の一体型のボディから形成された前記操作ビームの一部であることを特徴とする請求項１に記載のサンシェードアセンブリ。
【請求項８】
前記操作ビームの対向側方端部に係合する前記長手方向ガイド内に収容されかつ前記ガイド内で往復動可能な二つの長手方向駆動部材を具備してなることを特徴とする請求項１に記載のサンシェードアセンブリ。
【請求項９】
前記サンスクリーンの各長手方向縁部は、その折り曲げられた部分がその折り曲げられていない部分の上に位置させられるように、内側に折り曲げられていることを特徴とする請求項１に記載のサンシェードアセンブリ。
【請求項１０】
前記ウィングは、前記サンスクリーンの一体的な延長部であることを特徴とする請求項１に記載のサンシェードアセンブリ。
【請求項１１】
前記ウィングは、前記サンスクリーンに対して取り付けられた別体の部材であることを特徴とする請求項１に記載のサンシェードアセンブリ。
【請求項１２】
前記位置決め部材のそれぞれと、前記対応するウィングの少なくとも一部との間に連結部をさらに具備してなることを特徴とする請求項１に記載のサンシェードアセンブリ。
【請求項１３】
前記連結部は、各位置決め部材において形成された開口を具備してなり、かつ各対応するウィングの対向する面は、前記開口を介して互いに固定されていることを特徴とする請求項１２に記載のサンシェードアセンブリ。
【請求項１４】
各開口は、各対応する位置決め部材の長手方向縁部から延在する凹部を具備してなることを特徴とする請求項１３に記載のサンシェードアセンブリ。
【請求項１５】
固定式ルーフにおいて開口を有する車両のためのルーフアセンブリキットであって、
前記キットが、
前記ルーフ開口を開放かつ閉鎖するために構成された動作可能な閉鎖パネルと、
請求項１ないし請求項１４のいずれか一項に記載のサンシェードアセンブリと、
を具備してなることを特徴とするルーフアセンブリキット。
【発明の詳細な説明】
【技術分野】
【０００１】
第一に、本発明の態様は、フレキシブルなサンスクリーンと、サンスクリーンを巻取りかつ巻き出すための回転可能な巻取りシャフトと、サンスクリーンに接続された操作ビームとを備えたサンシェードアセンブリに関するものである。
【背景技術】
【０００２】
以下の説明は単に一般的な背景情報に関するものであり、特許請求された対象事項の範囲の決定に役立つよう用いられることを意図したものではない。
【０００３】
そうしたサンシェードアセンブリの用途の一つの重要な分野として、ルーフアセンブリを有するオープンルーフ構造体を備えた車両が挙げられる。そうしたサンシェードアセンブリは、車両の組立中に、オープンルーフ構造体のそうしたルーフアセンブリに組み込まれてもよく、またそれだけでなく、その後に提供されてもよい(この場合、車両は、いわゆるアフターマーケット用オープンルーフ構造を用いてレトロフィットされる)。
【発明の概要】
【発明が解決しようとする課題】
【０００４】
そうしたサンシェードアセンブリに関連する問題は、フレキシブルなサンスクリーンの長手方向縁部が対応する長手方向ガイドから移動させられるとき、例えば風荷重によってあるいは使用者が何気なく押すことによって生じることがある。続いて長手方向ガイド内へと長手方向縁部を再び移動させることが困難な作業となる可能性がある。
【課題を解決するための手段】
【０００５】
本明細書におけるこの概要および要約は、以下にさらに詳しく説明されるものを簡略化して、コンセプトを抜粋したものを述べるためのものである。この概要および要約は、特許請求の範囲に記載された事項の重要な特徴または本質的な特徴を規定することを意図するものではなく、特許請求された事項の範囲の決定に役立つよう用いられることを意図したものではない。特許請求の範囲に記載された事項は、背景技術において説明されたなんらかのまたはすべての不利な点を解決する実施例に限定されるものではない。
【０００６】
本発明の一態様によれば、サンシェードアセンブリは、対向長手方向縁部と対向横方向縁部とを有するフレキシブルなサンスクリーンと；サンスクリーンの対向長手方向縁部の対応する一方をその中に収容しかつガイドするための二つの対向長手方向ガイドと；その横方向縁部の第１のものにおいてサンスクリーンを巻取りかつ巻き出すために構成された回転可能な巻取りシャフトと；サンスクリーンの横方向縁部の第２のものに接続された操作ビームと；を備えており、横方向縁部の第２のものに隣接するサンスクリーンの対向長手方向縁部が、第２の横方向縁部に対して固定ポジションを有しかつ対向長手方向ガイドの対応するものの中へ延在する位置決め部材の周囲で内側に折り曲げられたウィングを備えている。
【０００７】
そうしたウィングが、位置決め部材の周囲で内側に折り曲げられているため、サンスクリーンの長手方向縁部は、対応するガイド内により安全に留まることとなる。さらに、長手方向縁部が対応するガイドから移動させられるとき、巻取りシャフトにサンスクリーンが完全に巻き取られること、およびその後にサンスクリーンがそれから巻き出されることは、サンスクリーンの妥当な位置（すなわちその長手方向縁部が対応するガイドに収容される状態となる）を完全に元に戻す。
【０００８】
巻き出されるかあるいは部分的に巻き出されたポジションにおいて、その長手方向縁部のそれぞれにおけるサンスクリーンは、第２の横方向縁部に隣接する(操作ビームに隣接する)折り曲げられた形態から、巻取りシャフトにより近接した平坦な形態に向かうウィングの過渡領域(transitional area)を備えている。サンスクリーンが巻取りシャフトに巻き取られるとき、それは、巻取りシャフトに届く直前に平坦となる。
【０００９】
「内側に折り曲げられた」という語が、サンスクリーンの内側に折り曲げられた部分が、サンスクリーンの折り曲げられていない部分の上に位置させられるかあるいはそれと係合することを必ずしも意味するものではないことに留意されたい。
【００１０】
一実施形態において、長手方向ガイドは、それぞれ、一方が他方の上に位置させられる二つのガイドチャネルを備えており、各位置決め部材は、二つのガイドチャネルの第１のものの中に延在しており、それに対して、操作ビームは、二つのガイドチャネルの対応する第２のものの中にそれぞれが延在する対向側方端部を備えている。
【００１１】
例えば、各位置決め部材が、二つのガイドチャネルの下側のものの中に延在し、それに対して操作ビームの側方端部のそれぞれが、二つのガイドチャネルの対応する上側のものの中に延在することが可能である。
【００１２】
さらに、例えば操作ビームとともに位置決め部材がスナップ式連結部材を形成するとき、位置決め部材が、取り外し可能な様式で操作ビームに接続されることができる。
【００１３】
ただし、位置決め部材と操作ビームとの間の取り外し可能な連結部材とともに使用可能な他の構成的な特徴部が設けられてもよいことに留意されたい。そうした他のタイプのものは、手動で操作されるタイプのもの、あるいは操作するために、なんらかの道具を必要とするタイプのものであってもよい。
【００１４】
さらに他の実施形態において、サンシェードアセンブリは、二つの長手方向駆動部材を備えており、これは、操作ビームの対向する側方端部に係合する長手方向ガイド内に収容され、かつこのガイド内で往復動可能となっている。
【００１５】
サンシェードアセンブリの一実施形態において、サンスクリーンの長手方向縁部は、内側に折り曲げられており、それによって、その折り曲げられた部分が、その折り曲げられていない部分の上に位置させられるようになっている。そうした構成は、巻取りシャフトに到達した場合に、サンスクリーンを平坦となるようにする傾向を向上し得る。
【００１６】
第二に、本発明は、固定式ルーフにおいて開口を有する車両のためのオープンルーフ構造体またはルーフアセンブリキットに関するものである。このキットは、ルーフ開口を開放しかつ閉鎖するために構成された可動閉鎖パネルと、上記一つ以上の特徴を有するサンシェードアセンブリとを備えている。
【００１７】
以下、図面を参照して本発明について説明する。
【図面の簡単な説明】
【００１８】
【図１】オープンルーフ構造体に用いられるサンシェードアセンブリの概略斜視図である。
【図２】サンシェードアセンブリの詳細を示す概略側断面図である。
【図３】サンシェードアセンブリの作動を示すための、サンシェードアセンブリの一部の概略斜視図である。
【図４】他の実施形態の概略斜視図である。
【発明を実施するための形態】
【００１９】
まず図１を参照すると、(固定屋根２によって概略的に示された)車両のためのルーフアセンブリを有するオープンルーフ構造体が概略的に図示されている。このルーフアセンブリは、車両の固定ルーフ部２におけるルーフ開口１を開放しかつ閉鎖するためのものであり、かつ可動閉鎖パネル３を含んでおり、可動閉鎖パネル３は、このルーフ開口１を開放しかつ閉鎖するために(詳しく図示されていないがそれ自体公知となっている手段によって)動作可能となっている。一般的に、公知であるように、可動パネル３は、ルーフ開口１の長手方向側部１２に沿って固定ルーフ部２内に取り付けられるかまたはその中に形成されている長手方向ガイドにガイドされる。モーターまたはクランク(図示せず)などのユーザ作動デバイス(user operated device)は、その開放および閉鎖ポジションの間で選択的にパネル３を移動させるよう、ケーブルなどを介してパネル３へと操作可能に連結されている。図１においては、閉鎖パネル３は、それがルーフ開口１を開放しているポジションで示されている。
【００２０】
ルーフ開口１の下にサンシェードアセンブリが配置されている。基本的に、このサンシェードアセンブリは、フレキシブルなサンスクリーン４と、第１の横方向縁部においてサンスクリーン４を巻き取りかつ巻き出すための回転可能な巻取りシャフト５と、二つの対向長手方向ガイド６および７とを備えている。ガイド６，７は、閉鎖パネルのガイド(図示せず)とともに、単一の一体型のボディに接続されるかまたはそれから一体的に形成されることが可能である。同様に、ガイド６，７は、パネルのガイドとは別体のものとすることもでき、その場合、オープンルーフ構造体はキットを備えており、その最小限のものは、サンシェードアセンブリに加えて、パネル３を含んでいる。図１において破線９，１０によって概略的に示されている駆動部材が設けられてもよい。それ自体が公知のように、駆動部材は、サンスクリーン４を巻取りかつ巻き出すための往復動のためのアクチュエータ１１によって駆動される長手方向部材を備えていてもよい。
【００２１】
各駆動部材９，１０は、巻取りシャフト５から離れたサンスクリーン４の横方向縁部において設けられておりかつそれに対して接続されている。
【００２２】
サンスクリーン４の往復動が、主にアクチュエータ１１によって引き起こされるように、駆動部材９および１０の往復動によって引き起こされるにもかかわらず、ある意味では巻取りシャフト５におけるサンスクリーン４の巻取りのために、さらに巻取りシャフト５に予荷重をかけることも可能となっている。さらに、サンスクリーン４の動作を手で開始させることも可能であることに留意されたい。
【００２３】
ここで、図１におけるII−IIに基づく側断面が概略的に示されている図２について説明する(断面の左側半分のみしか示されていないが、右側半分は、その左右対称のものとなっていることに留意されたい)。
【００２４】
図２には、パネル３と、(固定ルーフ部２に取り付けられている)左側ガイド６と、操作ビーム８とを示す。サンスクリーン４は、公知の様式で操作ビーム８に取り付けられており、ここではさらに詳しくは説明しない。
【００２５】
ガイド６は、上側ガイドチャネル１３と、下側ガイドチャネル１４とを備えている。操作ビーム８の外側端部は、取り付け部１５に取り付けられており、取り付け部１５は、上側ガイドチャネル１３の中に突出しており、かつ駆動部材(例えばケーブル)１０に対してその中において接続されている。したがって、操作ビーム８は、対応する上側ガイドチャネル１３の中へそれぞれが延在しかつその中でガイドされる対向側方端部を備えている。
【００２６】
サンスクリーン４の対応する長手方向縁部は、下側ガイドチャネル１４内でガイドされるようになる。
【００２７】
取り付け部１５が、基本的にガイドチャネル１３の形状および取り付け部１５の形状に応じて、ガイドチャネル１３の中へ完全に突出していても、あるいはもしくはしていなくともよいことに留意されたい。したがって、「対応する上側ガイドチャネルの中へ延在している」という表現は、文字通りとなっている必要はない。
【００２８】
別の言い方をすれば、取り付け部１５は、それによってガイドされるようにガイド１３に係合しており、そのガイド１３は、チャネルを備えていても、あるいは備えていなくともよい。
【００２９】
位置決め部材１６は、後述する様式で操作ビームに取り付けられており、かつ下側チャネル１４の中へ延在しかつそれによってガイドされる。破線で示されるように、サンスクリーン４のウィング１７は、位置決め部材１６の周囲で折り曲げられている。このウィング１７は、サンスクリーン４の一部(例えば単一の一体型のボディから形成された横方向延長部)であってもよく、もしくは適切な様式(ステッチングまたは糊付けなど)でサンスクリーン４に取り付けられた別体のものであってもよい。図示された実施形態において、位置決め部材１６は、唇状部(lip)として具体化されている。
【００３０】
図３を参照すると、操作ビーム８の左側端部に隣接するその一部が示されている。その取り付け部１５は、この図においては省略されている。位置決め部材または唇状部１６をより明確に示すために、上側ガイドチャネル１３および下側ガイドチャネル１４を備えたガイド６もこの図においては省略されている。
【００３１】
位置決め部材１６は、スナップ式連結部材(参照符号１８でおおまかに示されている)を介して操作ビーム８に取り付けることができる。したがって、(例えばそれらの部品、ひいてはサンシェードアセンブリの組み立て／分解をより容易にするため)操作ビーム８と位置決め部材１６との間の取り外し可能な連結部材を形成することができる。ただし、他の実施形態において、位置決め部材１６は、単一の一体型のボディから形成される操作ビーム８と一体のものとすることができる。
【００３２】
図３から、サンスクリーン４のウィング１７が、巻取りシャフト５へ向かう方向へ漸進的に広がっていくようになっていることが明らかである。
【００３３】
サンスクリーン４の完全にまたは部分的に閉じたポジションにおいて、その長手方向縁部が下側ガイドチャネル１４から出る際に、そのポジションは、サンスクリーンを完全に開放すること(巻取りシャフト５へとそれを巻き取ること)によって元に戻され、そして再びそれは(部分的に)閉じたポジションへと移動させられる。唇状部１６の周囲に延在するウィング１７は、対応する下側ガイドチャネル１４の中へサンスクリーンの長手方向縁部を再び位置決めすることに対処するようになる。
【００３４】
図４には、特に例えば低温などの条件下で巻取りシャフト５へ巻き取られる場合のサンシェード４の形状のより良好な制御を提供することができる第二実施形態を示す。一般に、ウィング１７またはその一部は、ウィング１７またはその一部の間での位置決め部材１６との係合を提供するように構成されており、それによって、ウィング１７は、位置決め部材１６に対して移動しないように(あるいはほとんど移動しないように)なる。通常、連結部１９は、この係合を実現することによって形成される。図示された実施形態において、連結部１９は、位置決め部材１６における開口２０を介してウィング１７を形成するフレキシブルな材料の上部または下部の取り付け部を含んでいる。開口２０はホールを備えることができる；ただし、図示されている他の実施形態において、開口２０は、位置決め部材１６の長手方向縁部から内側に向かって延在する凹部からなっている。連結部１９は、ステッチシーム、のり連結、溶着、リベットなどの留め具、またはそれらの組み合わせなどであってもよい。凹部の使用によって、位置決め部材１６へのウィング１７の取り付けが容易にできるようになる。さらに他の実施形態において、連結部１９は、留め具、溶着、接着剤などによって位置決め部材１６とウィング１７との間に直接的な連結部を備えることができる。単一の連結部１９が設けられている状態で示されているが、これは、上記形態のうちのひとつまたはその組み合わせによる付加的な連結部１９を制限するものであると考えられるべきではない。
【００３５】
対象事項について構成的な特徴および／または方法的な作動に特有のものに関連して説明してきたが、特許請求の範囲に記載された対象事項は、特定の特徴に必ずしも限定されるものではないか、あるいは審査によって決定される場合に上述したように作用するものであることを理解されたい。むしろ、上記特定の特徴および作動は、特許請求の範囲に記載されたものの実施の一例として記載されたものである。
【符号の説明】
【００３６】
１    ルーフ開口
２    固定ルーフ部
３    閉鎖パネル
４    サンスクリーン
５    巻取りシャフト
６，７  対向長手方向ガイド
８    操作ビーム
９，１０  駆動部材
１１  アクチュエータ
１２  長手方向側部
１３  上側ガイドチャネル
１４  下側ガイドチャネル
１５  取り付け部
１６  位置決め部材
１７  ウィング
１８  連結部材
１９  連結部
２０  開口
【図２】
2010036898.tif 000003
【図３】
2010036898.tif 000004
【図４】
2010036898.tif 000005
【図１】
2010036898.tif 000006
【外国語明細書】
2010036898.tif 000007
2010036898.tif 000008
2010036898.tif 000009
2010036898.tif 000010
2010036898.tif 000011
2010036898.tif 000012
2010036898.tif 000013
2010036898.tif 000014
2010036898.tif 000015
2010036898.tif 000016
2010036898.tif 000017
2010036898.tif 000018
2010036898.tif 000019
2010036898.tif 000020
2010036898.tif 000021
2010036898.tif 000022
2010036898.tif 000023